(57)【要約】【課題】  茶葉を冷水と共に容器内に入れて保管し、注ぎ出し時に茶葉を漉して飲料を注出できる飲料容器の茶こし付きふたを提供する。【解決手段】  容器１の開口１ａに嵌合される合成樹脂製のふた本体３と、両者間を密閉するパッキング４と、ふた本体１の下部に着脱自在に嵌合される茶こし５とを具備する。ふた本体３は、飲料容器１の上端に載って開口１ａを覆う傘部３ａと、容器１内へ緩く挿入される筒状部３ｂとを具備する。茶こし５は、ほぼ椀形で底部及び側部にこし網５ａを有し、上端に係合環部５ｂを備える。ふた本体３の筒状部３ｂは注出開口３ｃを有し、傘部３ａは位置合わせ部３ｅを有する。パッキング４はふた本体３に相当の抜け止め抵抗を付与する。茶こし５の係合環部５ｂは、ふた本体３の筒状部３ｂ外周に離脱可能にスナップ係合する。【選択図】  図１
0003102436.tif 000002
【実用新案登録請求の範囲】
【請求項１】
円筒状の上部に円形の開口を有すると共に、上端縁に注ぎ口を有する飲料容器の当該開口に装着されるふたであって、
前記飲料容器の開口の内側に嵌合される合成樹脂製のふた本体と、このふた本体と前記飲料容器の上部内周との間を密閉するパッキングと、前記ふた本体の下部であって前記パッキングの下方に着脱自在に嵌合される茶こしとを具備し、
前記ふた本体は、前記飲料容器の上端に載って前記開口を覆うことができるフランジ部と、この傘部から下方へ伸びて前記飲料容器内へ緩く挿入される筒状部とを具備し、
前記茶こしは、ほぼ椀形で、底部及び側部にこし網を有すると共に、上端にこし網の上縁を支持する係合環部を備えた合成樹脂製の枠体を具備し、
前記ふた本体の筒状部は、上部の一部に、筒の内外に貫通する注出開口を有し、前記ふた本体の傘部は、前記飲料容器への装着時に前記注出開口を飲料容器の注ぎ口に対向配置するための位置合わせ部を具備し、
前記パッキングは、前記ふた本体の筒状部外周における前記注出開口より下方部位に内周部が係合し外周部が前記飲料容器の上部内周と密着して、ふた本体に相当の抜け止め抵抗を付与するように設けられ、
前記茶こしの係合環部は、前記ふた本体の筒状部外周における前記パッキング装着部より下方部位に離脱可能にスナップ係合することを特徴とする飲料容器の茶こし付きふた。
【請求項２】
前記茶こしの枠体は、前記係合環部と、前記こし網の下部外周を支持するための環状支持部と、係合環部と環状支持部との間を部分的に上下方向に接続する複数の外周補強骨と、前記環状支持部を直径方向に連結する底部補強骨と、１つの前記外周補強骨の下端から半径方向外側へ突出した指掛け突片とを具備することを特徴とする請求項１に記載の飲料容器の茶こし付きふた。
【請求項３】
前記ふた本体の筒状部は、前記注出開口と対向する位置に通気孔を具備することを特徴とする請求項１又は２に記載の飲料容器の茶こし付きふた。
【考案の詳細な説明】
【技術分野】
【０００１】
この考案は、例えば冷蔵庫で冷水を保管するための冷水筒のような飲料容器に用いられるふたであって、容器に茶葉を入れて茶を抽出するのに適した茶こし付きのふたに関するものである。
【背景技術】
【０００２】
お茶を注ぐためにティーポットを傾けても、ポット本体から外れることがないようにした蓋が特許文献１に記載されている。このふたは、周壁に係合突起を備える。一方、茶こし器は、その側周壁に、係合突起が嵌まる凹所を備える。お茶を注ぐためにティーポットを傾けても、蓋が茶こし器と係合して茶こし器から外れない。
冷水筒のような比較的大型の飲料容器内において長時間をかけて大量の冷水に茶を抽出するような場合には、茶葉を冷水と共に容器内に入れて常時冷水に浸しておく必要がある。ところが、上記特許文献１に記載されたティーポットのような構造のものは、茶葉を茶こし器内に入れて、茶葉に湯を注ぐことによって茶を抽出するものであって、ポット内に茶葉を入れて茶こし器で茶葉を漉すような使用方法には適用できない。
【特許文献１】特開平８−２８０５４３号公報
【考案の開示】
【考案が解決しようとする課題】
【０００３】
この考案は、茶葉を冷水と共に容器内に入れて常時冷水に浸しておき、注ぎ出し時に茶葉を漉して飲料のみを注出できる飲料容器の茶こし付きふたを提供することを目的としている。
【課題を解決するための手段】
【０００４】
この考案においては、上記課題を解決するため、飲料容器１の開口１ａの内側に嵌合される合成樹脂製のふた本体３と、このふた本体３と飲料容器１の上部内周との間を密閉するパッキング４と、ふた本体１の下部であってパッキング４の下方に着脱自在に嵌合される茶こし５とを具備させて茶こし付きふたを構成する。ふた本体３には、飲料容器１の上端に載って開口１ａを覆うことができる傘部３ａと、この傘部から下方へ伸びて飲料容器１内へ緩く挿入される筒状部３ｂとを具備させる。茶こし５は、ほぼ椀形に構成し、底部及び側部にこし網５ａを具備させると共に、上端にこし網５ａの上縁を支持する係合環部５ｂを備えた合成樹脂製の枠体を具備させる。ふた本体３の筒状部３ｂには、上部の一部に、筒の内外に貫通する注出開口３ｃを設け、ふた本体３の傘部３ａには、飲料容器１への装着時に注出開口３ｃを飲料容器１の注ぎ口１ｂに対向配置するための位置合わせ部３ｅを具備させる。パッキング４は、ふた本体３の筒状部３ｂ外周における注出開口３ｃより下方部位に内周部が係合し外周部が飲料容器１の上部内周と密着して、ふた本体３に相当の抜け止め抵抗を付与するように構成する。茶こし５の係合環部５ｂは、ふた本体３の筒状部３ｂ外周におけるパッキング装着部より下方部位に離脱可能にスナップ係合させる。
【考案の効果】
【０００５】
この考案においては、茶葉を冷水と共に容器内に入れて常時冷水に浸しておき、注ぎ出し時に、開口からあふれ出すことなく、スムーズに茶葉を漉して、飲料のみを注出でき、また洗浄が容易な飲料容器の茶こし付きふたを提供することができる。
【考案を実施するための最良の形態】
【０００６】
図面を参照してこの考案の実施の形態を説明する。図１は容器とふたの分解斜視図、図２は容器とふたの断面図、図３はふたの平面図、図４はふたの底面図、図５はふたの正面図、図６はふたの背面図である。
【０００７】
飲料容器１は、円筒状の上部に円形の開口１ａを有すると共に、上端縁に注ぎ口１ｂを有する。ふた２は、飲料容器１の開口１ａに装着される。
【０００８】
ふた２は、容器１の開口１ａの内側に嵌合される合成樹脂製のふた本体３と、このふた本体３と容器１の上部内周との間を密閉するパッキング４と、ふた本体３の下部であって、パッキング４の下方位置に着脱自在に嵌合される茶こし５とを具備する。
【０００９】
ふた本体３は、容器１の上端に載って開口１ａを覆うことができる平面視ほぼ卵形の傘部３ａと、この傘部３ａから下方へ伸びて容器１内へ緩く挿入される筒状部３ｂとを具備する。
【００１０】
茶こし５は、扁平筒状に近いほぼ椀形で、底部及び側部にこし網５ａを有すると共に、係合環部５ｂを上端に備えた合成樹脂製の枠体を具備する。係合環部５ｂは、こし網５ａの上縁を支持する。
【００１１】
ふた本体３の筒状部３ｂは、上部の一部に、筒の内外に貫通する注出開口３
ｃを有し、また注出開口３と対向する位置に通気孔３ｄを具備する。ふた本体３の傘部３ａは、円形の一部が容器の注出口１ｂの上方に沿って突出して注出口１ｂを覆うように構成され、注出時の溢れ出しを防止し、また注出口を保護する。また傘部３ａは、容器１への装着時に注出開口３ｃを容器１の注ぎ口１ｂに対向配置するための位置合わせ部３ｅを具備する。
【００１２】
パッキング４は、ふた本体３の筒状部外周における注出開口３ｃより下方部位に内周部が係合し、外周部が容器１の上部内周と密着して、ふた本体３に相当の抜け止め抵抗を付与する。
【００１３】
茶こし５の係合環部５ｂは、ふた本体３の筒状部外周におけるパッキング装着部より下方部位に離脱可能にスナップ係合する。茶こしの枠体は、係合環部５ｂの他に、こし網５ａの下部外周を支持するための環状支持部５ｃと、係合環部５ｂと環状支持部５ｃとの間を部分的に上下方向に接続する複数の外周補強骨５ｄと、環状支持部５ｃを直径方向に連結する底部補強骨５ｅと、１つの外周補強骨５ｄの下端から半径方向外側へ突出した指掛け突片５ｆを備える。
【００１４】
使用に際して、例えば茶葉を冷水と共に容器１内に入れ、ふた２を嵌合して冷蔵庫に保管する。ふた２を装着したまま容器１を注ぎ口１ｂ側に傾けると、茶葉はこし網５ａに漉されて茶液のみが開口３ｃを経て注ぎ口１ｂから注ぎ出される。ふた２の外周はパッキング４で容器に密に嵌合されているから、飲料は必ずこし網５ａを経て注ぎ出される。容器１内の茶葉の量が多くても、茶こし５が椀状になっているので、茶葉がこし網５ａの全体に付着して飲料の流出を妨げることはなく、常時スムーズに飲料を注出することができる。ふた２は、容易に本体３，パッキング４，茶こし５の三者に分解でき、洗浄が容易である。突片５ｆに指を掛けて茶こし５を本体３から引き離せば、補強骨５ｄを介して係合環部５ｂが弾性変形し、本体３との係合が解かれるので、本体３から茶こし５を取り外す操作は容易である。
【産業上の利用可能性】
【００１５】
この考案は、茶葉を冷水と共に容器内に入れて冷蔵庫で保管し、いわゆる水出し式の茶飲料を家庭で作るのに適した飲料容器の茶こし付きふたとして利用できる。
【図面の簡単な説明】
【００１６】
【図１】容器とふたの分解斜視図である。
【図２】容器とふたの断面図である。
【図３】ふたの平面図である。
【図４】ふたの底面図である。
【図５】ふたの正面図である。
【図６】ふたの背面図である。
【符号の説明】
【００１７】
１    容器
１ａ  開口
１ｂ  注ぎ口
２    ふた
３    ふた本体
３ａ  傘部
３ｂ  筒状部
３ｃ  注出開口
３ｄ  通気孔
３ｅ  位置合わせ部
４    パッキング
５    茶こし
５ａ  こし網
５ｂ  係合環部
５ｃ  環状支持部
５ｄ  補強骨
５ｅ  補強骨
５ｆ  突片
【図１】
0003102436.tif 000003
【図２】
0003102436.tif 000004
【図３】
0003102436.tif 000005
【図４】
0003102436.tif 000006
【図５】
0003102436.tif 000007
【図６】
0003102436.tif 000008